(57)【要約】【課題】本発明の目的は、リレーの大型化を抑えながら、可動接触片と接極子との間の絶縁距離を拡張することにある。【解決手段】壁部は、接極子とカードとの間に配置される。カードは、カード本体と、接触部と、突起とを含む。カード本体は、壁部と可動接触片との間に配置される。接触部は、カード本体から接極子に向かって延びている。突起は、カード本体から壁部側に突出し、接続部の側方に配置される。【選択図】図１２
2019175602.tif 000002
【特許請求の範囲】
【請求項１】
固定端子と、
前記固定端子に接続された固定接点と、
前記固定端子に対向して配置された可動接触片と、
前記可動接触片に接続され、前記固定接点に対向して配置された可動接点と、
コイルと、前記コイルから生じる電磁力により動作する接極子とを含む駆動部と、
前記駆動部と前記可動接触片との間に配置され、前記接極子の動作を前記可動接触片に伝達するカードと、
前記接極子と前記カードとの間に配置される壁部と、
を備え、
前記カードは、
前記壁部と前記可動接触片との間に配置されるカード本体と、
前記カード本体から前記接極子に向かって延び、前記接極子と接触する接触部と、
前記カード本体から前記壁部側に突出し、前記接触部の側方に配置される突起と、
を含む、
リレー。
【請求項２】
前記固定端子と前記可動接触片と前記駆動部とを支持するベースをさらに備え、
前記ベースから前記可動接触片が延びる方向を上方、その反対を下方として、
前記突起は、上下方向に延びている、
請求項１に記載のリレー。
【請求項３】
前記突起は、前記接触部よりも上方の位置から前記接触部よりも下方の位置まで延びている、
請求項２に記載のリレー。
【請求項４】
前記壁部は、前記接触部の上方に位置する壁上部を含み、
前記突起は、前記壁上部の下端よりも上方の位置から前記壁上部の下端よりも下方の位置まで延びている、
請求項２又は３に記載のリレー。
【請求項５】
前記壁部は、前記壁上部から前記接触部の側方を通って前記接触部よりも下方の位置まで延びる壁側部をさらに含み、
前記突起の少なくとも一部は、前記壁側部に対向して配置されている、
請求項２から４のいずれかに記載のリレー。
【請求項６】
前記可動接触片から前記駆動部に向かう方向から見て、前記突起の少なくとも一部は、前記壁部と重なる、
請求項１から５のいずれかに記載のリレー。
【請求項７】
前記接触部は、
中央接触部と、
前記中央接触部の一方の側方に配置され、前記中央接触部よりも前記駆動部側に延びる第１延在部と、
前記中央接触部の他方の側方に配置され、前記中央接触部よりも前記駆動部側に延びる第２延在部と、
を含み、
前記接極子は、前記電磁力により動作して前記中央接触部を押圧するように設けられる、
請求項１から６のいずれかに記載のリレー。
【請求項８】
前記中央接触部は、前記接極子に向かって凸に湾曲した形状を有している、
請求項７に記載のリレー。
【請求項９】
前記駆動部は、前記コイルに挿入される鉄心をさらに含み、
前記接極子は、
前記鉄心に対向して配置される第１部分と、
前記接触部に対向して配置される第２部分と、
前記第１部分と前記第２部分との間に位置する第３部分と、
を含み、
前記第２部分の幅は、前記第１部分の幅よりも小さい、
請求項７又は８に記載のリレー。
【請求項１０】
前記第２部分の幅は、前記第３部分の幅よりも小さい、
請求項９に記載のリレー。
【請求項１１】
前記第２部分は、
前記第１延在部が配置される第１凹部と、
前記第２延在部が配置される第２凹部と、
を含む、
請求項７から１０のいずれかに記載のリレー。
【請求項１２】
固定端子と、
前記固定端子に接続された固定接点と、
前記固定端子に対向して配置された可動接触片と、
前記可動接触片に取り付けられ、前記固定接点に対向して配置された可動接点と、
コイルと、前記コイルから生じる電磁力により動作する接極子とを含む駆動部と、
前記駆動部と前記可動接触片との間に配置され、前記接極子の動作を前記可動接触片に伝達するカードと、
前記接極子と前記カードとの間に配置される壁部と、
を備え、
前記壁部は、
前記カードから前記駆動部に向かう方向と交差する方向に延びる壁本体と、
前記壁本体から前記カード側に突出する突起と、
を含む、
リレー。
【請求項１３】
前記固定端子と前記可動接触片と前記駆動部とを支持するベースをさらに備え、
前記ベースから前記可動接触片が延びる方向を上方、その反対を下方として、
前記突起は、上下方向に延びている、
請求項１２に記載のリレー。
【請求項１４】
前記カードは、
前記壁部と前記可動接触片との間に配置されるカード本体と、
前記カード本体から前記接極子に向かって延び、前記接極子と接触する接触部と、
を含み、
前記壁本体は、
前記接触部の上方に位置する壁上部と、
前記壁上部から前記接触部の側方を通って前記接触部よりも下方の位置まで延びる壁側部と、
を含み、
前記突起は、前記壁上部の下端よりも上方の位置から前記壁上部の下端よりも下方の位置まで延びている、
請求項１３に記載のリレー。
【請求項１５】
前記突起は、前記接触部よりも上方の位置から、前記接触部よりも下方の位置まで延びている、
請求項１３又は１４に記載のリレー。
【発明の詳細な説明】
【技術分野】
【０００１】
本発明は、リレーに関する。
【背景技術】
【０００２】
リレーでは、コイルから生じる電磁力によって接極子を動作させ、接極子の動作を可動接触片に伝達することで、接点を開閉する。例えば、特許文献１のリレーでは、接極子と可動接触片との間にカードが配置されている。コイルから生じる電磁力によって接極子が動作すると、接極子の動作がカードを介して可動接触片に伝達される。
【先行技術文献】
【特許文献】
【０００３】
【特許文献１】特開２０１２−１６０３２５号公報
【発明の概要】
【発明が解決しようとする課題】
【０００４】
上記のようなリレーでは、耐衝撃電圧性能を向上させるために、可動接触片と接極子との間の絶縁距離が大きいことが好ましい。しかし、可動接触片と接極子との間の距離を大きくすると、リレーが大型化してしまう。
【０００５】
本発明の目的は、リレーの大型化を抑えながら、可動接触片と接極子との間の絶縁距離を拡張することにある。
【課題を解決するための手段】
【０００６】
第１の態様に係るリレーは、固定端子と、固定接点と、可動接触片と、可動接点と、駆動部と、カードと、壁部とを備える。固定接点は、固定端子に接続される。可動接触片は、固定端子に対向して配置される。可動接点は、可動接触片に接続され、固定接点に対向して配置される。駆動部は、コイルと接極子とを含む。接極子は、コイルから生じる電磁力により動作する。カードは、駆動部と可動接触片との間に配置され、接極子の動作を可動接触片に伝達する。壁部は、接極子とカードとの間に配置される。
【０００７】
カードは、カード本体と、接触部と、突起とを含む。カード本体は、壁部と可動接触片との間に配置される。接触部は、カード本体から接極子に向かって延びている。突起は、カード本体から壁部側に突出し、接触部の側方に配置される。
【０００８】
本態様に係るリレーでは、接極子とカードとの間に壁部が配置されている。それにより、リレーの大型化を抑えながら、可動接触片と接極子との間の絶縁距離を拡張することができる。また、カードには、カード本体から壁部側に突出する突起が設けられている。そのため、リレーの大型化を抑えながら、可動接触片と接極子との間の絶縁距離をさらに拡張することができる。
【０００９】
リレーは、固定端子と可動接触片と駆動部とを支持するベースをさらに備えてもよい。突起は、上下方向に延びていてもよい。なお、上方は、ベースから可動接触片が延びる方向を意味し、下方は、その反対を意味するものとする。この場合、突起が上下方向に延びた形状であることで、可動接触片と接極子との間の絶縁距離をさらに拡張することができる。
【００１０】
突起は、接触部よりも上方の位置から接触部よりも下方の位置まで延びていてもよい。この場合、突起が上下方向に大きく延びた形状であることで、可動接触片と接極子との間の絶縁距離をさらに拡張することができる。
【００１１】
壁部は、接触部の上方に位置する壁上部を含んでもよい。突起は、壁上部の下端よりも上方の位置から壁上部の下端よりも下方の位置まで延びていてもよい。この場合、突起が上下方向に大きく延びた形状であることで、可動接触片と接極子との間の絶縁距離をさらに拡張することができる。
【００１２】
壁部は、壁側部をさらに含んでもよい。壁側部は、壁上部から接触部の側方を通って接触部よりも下方の位置まで延びていてもよい。突起の少なくとも一部は、壁側部に対向して配置されてもよい。この場合、壁側部が接触部の側方を通って延びていることで、可動接触片と接極子との間の絶縁距離を拡大することができる。また、突起の少なくとも一部が壁側部に対向して配置されることで、可動接触片と接極子との間の絶縁距離をさらに拡大することができる。
【００１３】
可動接触片から駆動部に向かう方向から見て、突起の少なくとも一部は、壁部と重なってもよい。この場合、可動接触片と接極子との間の絶縁距離をさらに拡大することができる。
【００１４】
接触部は、中央接触部と、第１延在部と、第２延在部とを含んでもよい。第１延在部は、中央接触部の一方の側方に配置され、中央接触部よりも駆動部側に延びていてもよい。第２延在部は、中央接触部の他方の側方に配置され、中央接触部よりも駆動部側に延びていてもよい。接極子は、電磁力により動作して中央接触部を押圧するように設けられてもよい。この場合、第１延在部と第２延在部とによって接極子を両側方から保持することができる。そのため、接極子によってカードの中央接触部を安定的に押圧することができる。
【００１５】
中央接触部は、接極子に向かって凸に湾曲した形状を有していてもよい。この場合、接極子によってカードの中央接触部をさらに安定的に押圧することができる。
【００１６】
駆動部は、コイルに挿入される鉄心をさらに含んでもよい。接極子は、第１部分と、第２部分と、第３部分とを含んでもよい。第１部分は、鉄心に対向して配置されてもよい。第２部分は、接触部に対向して配置されてもよい。第３部分は、第１部分と第２部分との間に位置してもよい。第２部分の幅は、第１部分の幅よりも小さくてもよい。この場合、カードの接触部に対向する第２部分の幅が第１部分の幅よりも小さい。そのため、可動接触片と接極子との間の絶縁距離をさらに拡大することができる。また、鉄心に対向する第１部分の幅を大きく維持できるので、接極子における磁気損失を抑えることができる。
【００１７】
第２部分の幅は、第３部分の幅よりも小さくてもよい。この場合、第１部分と第３部分とを接続する第２部分の幅を大きく確保できる。そのため、接極子の強度の低下を抑えることができる。
【００１８】
第２部分は、第１凹部と第２凹部とを含んでもよい。第１凹部には、第１延在部が配置されてもよい。第２凹部には、第２延在部が配置されてもよい。この場合、第２部分の幅が大きくなることを抑えながら、第１延在部と第２延在部とを接極子の両側方に配置することができる。それにより、リレーの大型化を抑えながら。可動接触片と接極子との間の絶縁距離を拡大することができる。
【００１９】
第２の態様に係るリレーは、固定端子と、固定接点と、可動接触片と、可動接点と、駆動部と、カードと、壁部とを備える。固定接点は、固定端子に接続される。可動接触片は、固定端子に対向して配置される。可動接点は、可動接触片に接続され、固定接点に対向して配置される。駆動部は、コイルと接極子とを含む。接極子は、コイルから生じる電磁力により動作する。カードは、駆動部と可動接触片との間に配置され、接極子の動作を可動接触片に伝達する。壁部は、接極子とカードとの間に配置される。壁部は、壁本体と突起とを含む。壁本体は、カードから駆動部に向かう方向と交差する方向に延びている。突起は、壁本体からカード側に突出している。
【００２０】
本態様に係るリレーでは、接極子とカードとの間に壁部が配置されている。それにより、リレーの大型化を抑えながら、可動接触片と接極子との間の絶縁距離を拡張することができる。また、壁部には、壁本体からカード側に突出する突起が設けられている。そのため、リレーの大型化を抑えながら、可動接触片と接極子との間の絶縁距離をさらに拡張することができる。
【００２１】
リレーは、固定端子と可動接触片と駆動部とを支持するベースをさらに備えてもよい。
突起は、上下方向に延びていてもよい。なお、上方は、ベースから可動接触片が延びる方向を意味し、下方は、その反対を意味するものとする。この場合、突起が上下方向に延びた形状であることで、可動接触片と接極子との間の絶縁距離をさらに拡張することができる。
【００２２】
カードは、カード本体と接触部とを含んでもよい。カード本体は、壁部と可動接触片との間に配置されてもよい。接触部は、カード本体から接極子に向かって延び、接極子と接触してもよい。壁本体は、壁上部と壁側部とを含んでもよい。壁上部は、接触部の上方に位置してもよい。壁側部は、壁上部から接触部の側方を通って接触部よりも下方の位置まで延びていてもよい。突起は、壁上部の下端よりも上方の位置から壁上部の下端よりも下方の位置まで延びていてもよい。この場合、壁側部が接触部の側方を通って延びていることで、可動接触片と接極子との間の絶縁距離を拡大することができる。また、突起が上下方向に大きく延びていることで、可動接触片と接極子との間の絶縁距離をさらに拡大することができる。
【００２３】
突起は、接触部よりも上方の位置から、接触部よりも下方の位置まで延びていてもよい。この場合、突起が上下方向に大きく延びていることで、可動接触片と接極子との間の絶縁距離をさらに拡大することができる。
【発明の効果】
【００２４】
本発明によれば、リレーの大型化を抑えながら、可動接触片と接極子との間の絶縁距離を拡張することができる。
【図面の簡単な説明】
【００２５】
【図１】実施形態に係るリレーの斜視図である。
【図２】リレーの斜視図である。
【図３】リレーの正面図である。
【図４】カードの斜視図である。
【図５】カードの斜視図である。
【図６】カードの上面図である。
【図７】リレーの拡大正面図である。
【図８】接極子を示すリレーの側面図である。
【図９】接極子の斜視図である。
【図１０】ケースの断面図である。
【図１１】ケースとカードとを示す側面図である。
【図１２】図３におけるXII−XII断面図である。
【発明を実施するための形態】
【００２６】
以下、図面を参照して実施形態に係るリレーの一例について説明する。図１及び図２は、実施形態に係るリレー１を示す斜視図である。図３は、リレー１の正面図である。図１から図３に示すように、リレー１は、固定接点部２と、可動接点部３と、駆動部４と、カード５と、ベース６と、ケース７とを含む。なお、図１及び図３においては、ケース７が断面で示されている。図２においては、ケース７が省略されている。
【００２７】
固定接点部２は、固定端子１１と固定接点１２とを含む。固定端子１１と固定接点１２とは、導電性を有する材料で形成されている。固定接点１２は、固定端子１１に取り付けられている。固定端子１１は、ベース６に支持されている。固定端子１１の一端は、ベース６からリレー１の外側へ突出している。固定端子１１の他端は、ケース７内に位置しており、固定接点１２が取り付けられている。
【００２８】
可動接点部３は、可動接触片１３と可動接点１４とを含む。可動接触片１３と可動接点１４とは、導電性を有する材料で形成されている。可動接触片１３は、ベース６に支持されている。可動接触片１３の一端は、ベース６からリレー１の外側へ突出している。可動接触片１３の他端は、ケース７内に位置しており、可動接点１４が取り付けられている。可動接触片１３は、弾性材で形成されている。可動接触片１３は、固定端子１１と駆動部４との間に配置されている。可動接触片１３は、固定端子１１に対向して配置されている。可動接点１４は、固定接点１２に対向して配置されている。
【００２９】
なお、以下の説明では、ケース７内において、ベース６から可動接触片１３が延びる方向を「上」、その反対を「下」と呼ぶものとする。ただし、これらの方向の定義は、説明の便宜上用いられるものであって、リレー１の配置方向等を限定するものではない。
【００３０】
可動接触片１３と固定端子１１とは、ベース６から上方に延びている。図３に示すように、可動接触片１３は、第１屈曲部１５と第２屈曲部１６とを含む。第２屈曲部１６は、第１屈曲部１５よりも上方に位置する。可動接触片１３は、第１屈曲部１５において固定端子１１に向かって屈曲している。可動接触片１３は、第２屈曲部１６において上方に向かって屈曲している。
【００３１】
駆動部４は、可動接点部３を動作させるための駆動力を発生させる。駆動部４は、ベース６に支持されている。駆動部４は、コイル２１と、ボビン２２と、鉄心２３と、ヨーク２４と、接極子１８とを含む。コイル２１は、ボビン２２に巻回されている。コイル２１の軸線は、上下方向に延びている。コイル２１はコイル端子１９ａ，１９ｂに接続されている。コイル端子１９ａ，１９ｂは、ボビン２２に支持されている。鉄心２３は、ボビン２２に挿入されている。
【００３２】
図３に示すように、ヨーク２４は、Ｌ字型に屈曲した形状を有している。ヨーク２４は、鉄心２３に接続されている。詳細には、ヨーク２４は、ヨーク底部２５とヨーク側部２６とを有する。ヨーク底部２５は、コイル２１の下方に配置されている。鉄心２３の下端部は、ボビン２２から下方に突出しており、ヨーク底部２５は、鉄心２３の下端部に接続されている。ヨーク側部２６は、コイル２１の側方に配置される。ヨーク側部２６は上下方向に延びている。
【００３３】
接極子１８は、ヨーク２４の上端部に回動可能に支持されている。接極子１８は、コイル２１から生じる電磁力により動作する。詳細には、接極子１８は、ヨーク側部２６の上端部に回動可能に支持されている。接極子１８はＬ字型に屈曲した形状を有している。図３に示すように、接極子１８は、第１部分２７と、第２部分２８と、第３部分２９とを含む。第１部分２７は、鉄心２３の上方に配置されている。第１部分２７は、鉄心２３に対向して配置されている。第２部分２８は、カード５に対向して配置されている。第３部分２９は、第１部分２７と第２部分２８との間に位置する。接極子１８は、第３部分２９において屈曲した形状を有している。
【００３４】
接極子１８とヨーク２４とには、ヒンジばね３１が取り付けられている。ヒンジばね３１は、弾性材で形成されている。ヒンジばね３１は、第１部分２７が鉄心２３に接触する方向に、接極子１８を付勢している。
【００３５】
ベース６は、絶縁性を有する材料で形成される。ベース６は、樹脂製である。ただし、ベース６は、樹脂以外の材料で形成されてもよい。ベース６は、固定接点部２と、可動接点部３と、駆動部４とを支持している。ベース６は、コイル配置部３３と、ヨーク支持部３４と、接触片支持部３５と、固定端子支持部３６とを含む。コイル配置部３３は、コイル２１及びボビン２２の下方に配置されている。ヨーク支持部３４は、ヨーク２４を支持している。接触片支持部３５は、可動接触片１３を支持している。固定端子支持部３６は、固定端子１１を支持している。
【００３６】
ヨーク支持部３４は、ヨーク２４の下部を可動接触片１３側から覆っている。図3に示すように、ヨーク支持部３４の上面３４１は、コイル配置部３３の上面３３１よりも上方に位置する。ヨーク支持部３４の上面３４１は、接触片支持部３５の上面３５１よりも上方に位置する。ヨーク支持部３４の上面３４１は、固定端子支持部３６の上面３６１よりも上方に位置する。ヨーク支持部３４の上面３４１は、可動接触片１３の第１屈曲部１５よりも上方に位置している。
【００３７】
カード５は、駆動部４と可動接触片１３との間に配置されている。カード５は、接極子１８の動作を可動接触片１３に伝達する。カード５は樹脂製である。図４及び図５は、カード５の斜視図である。図６はカード５の上面図である。図４から図６に示すように、カード５は、カード本体４１と、第１接触部４２と、第２接触部４３とを含む。カード本体４１は、上下方向に延びる板状の形状を有している。
【００３８】
図７は、カード周囲の構造を示すリレーの拡大正面図である。図７に示すように、カード本体４１は、可動接触片１３と接極子１８の第２部分２８との間に配置される。第１接触部４２は、カード本体４１から接極子１８に向かって延びている。第１接触部４２は、接極子１８の第２部分２８に対向して配置されている。第１接触部４２は、接極子１８の第２部分２８に接続されている。第２接触部４３は、可動接触片１３に対向して配置されている。第２接触部４３は、可動接触片１３に接続されている。
【００３９】
図６に示すように、第１接触部４２は、中央接触部４４と、第１延在部４５と、第２延在部４６とを含む。第１延在部４５は、中央接触部４４の一方の側方に配置され、中央接触部４４よりも駆動部４側に延びている。第２延在部４６は、中央接触部４４の他方の側方に配置され、中央接触部４４よりも駆動部４側に延びている。中央接触部４４は、接極子１８に向かって凸に湾曲した形状を有している。
【００４０】
図８は、リレー１の側面図である。図９は、接極子１８の斜視図である。なお、図８では、ケース７と、固定接点部２と、可動接点部３と、カード５とが省略されている。図８に示すように、接極子１８の第２部分２８の幅Ｗ２は、第１部分２７の幅Ｗ１よりも小さい。第２部分２８の幅Ｗ２は、第３部分２９の幅Ｗ３よりも小さい。第２部分２８と第３部分２９との間の段部２９１，２９２には、面取りが施されている。第２部分２８の下端の角部２８１，２８２には、面取りが施されている。なお、面取りは、図８に示すような角型に限らず、丸型であってもよい。
【００４１】
接極子１８の第２部分２８は、テーパ部５１，５２を含む。テーパ部５１は、第３部分２９と第１凹部４７との間に設けられている。テーパ部５２は、第３部分２９と第２凹部４８との間に設けられている。テーパ部５１，５２は、第２部分２８の下端に向かって先細りの形状を有している。
【００４２】
接極子１８の第２部分２８は、第１凹部４７と第２凹部４８と押圧部４９とを含む。押圧部４９は、第１凹部４７と第２凹部４８との間に配置されている。図７に示すように、第１凹部４７には、カード５の第１延在部４５が配置される。同様に、第２凹部４８には、カード５の第２延在部４６が配置される。押圧部４９は、第１延在部４５と第２延在部４６との間に配置される。押圧部４９は、第１接触部４２の中央接触部４４と対向して配置されている。第１部分２７が鉄心２３に近づくように接極子１８が回動すると、押圧部４９は、第１接触部４２の中央接触部４４に接触して押圧する。それにより、接極子１８の動作がカード５に伝達される。
【００４３】
図４から図６に示すように、第２接触部４３は、第１押圧部５３と、第２押圧部５４と、第１接続部５５と、第２接続部５６とを含む。第１押圧部５３と第２押圧部５４とは、第２接触部４３の先端から可動接触片１３に向かって突出している。第１押圧部５３と第２押圧部５４とは、可動接触片１３に対向して配置される。第１押圧部５３と第２押圧部５４とは、可動接触片１３に接触することで、可動接触片１３を押圧する。第１接続部５５と第２接続部５６とは、第２接触部４３の先端から可動接触片１３に向かって突出している。第１接続部５５と第２接続部５６とは、可動接触片１３に接続される。
【００４４】
図１に示すように、ケース７は、ベース６に被せられる。ケース７は絶縁性を有する材料で形成される。ケース７は樹脂製である。ただし、ケース７は、樹脂以外の材料で形成されてもよい。図１に示すように、ケース７は、壁部６１を有する。壁部６１は、接極子１８とカード５との間に配置される。壁部６１は、ケース７と一体的に形成されている。ただし、壁部６１は、ケース７と別体であってもよい。
【００４５】
図１０は、ケース７の断面を示す斜視図である。図１０に示すように、壁部６１は、壁本体６２と、第１の壁突起６３と、第２の壁突起６４とを含む。壁本体６２は、カード５から駆動部４に向かう方向と交差する方向に延びている。壁本体６２は、上下方向に延びており、接極子１８とカード５との間に配置される。
【００４６】
壁本体６２は、壁上部６６と、第１壁側部６７と、第２壁側部６８とを含む。壁上部６６は、第１接触部４２の上方に位置する。第１壁側部６７は、壁上部６６から第１接続部４２の一方の側方を通って、第１接触部４２よりも下方の位置まで延びている。第２壁側部６８は、壁上部６６から第１接触部４２の他方の側方を通って、第１接触部４２よりも下方の位置まで延びている。壁上部６６と第１壁側部６７と第２壁側部６８とによって、上方に向けて凹んだ形状が構成されている。
【００４７】
第１の壁突起６３と第２の壁突起６４とは、壁本体６２からカード５側に突出している。第１の壁突起６３と第２の壁突起６４とは、上下方向に延びている。第１の壁突起６３の一部は、第１壁側部６７に沿って配置されている。第２の壁突起６４の一部は、第２壁側部６８に沿って配置されている。
【００４８】
図１１は、壁部６１とカード５とを示す側面図である。図１１に示すように、第１の壁突起６３と第２の壁突起６４とは、壁上部６６の下端６９よりも上方の位置から、壁上部６６の下端６９よりも下方の位置まで延びている。第１の壁突起６３と第２の壁突起６４とは、第１接触部４２よりも上方の位置から、第１接触部４２よりも下方の位置まで延びている。図７に示すように、第１の壁突起６３と第２の壁突起６４とは、接極子１８の下端よりも下方の位置まで延びている。
【００４９】
カード本体４１は、壁部６１と可動接触片１３との間に配置される。図４から図６に示すように、カード５は、第１のカード突起７１と第２のカード突起７２とを含む。第１のカード突起７１と第２のカード突起７２とは、カード本体４１から壁部６１側に突出している。第１のカード突起７１は、第１接触部４２の一方の側方に配置される。第２のカード突起７２は、第１接触部４２の他方の側方に配置される。
【００５０】
第１のカード突起７１と第２のカード突起７２とは、上下方向に延びている。図１１に示すように、第１のカード突起７１と第２のカード突起７２とは、第１接触部４２よりも上方の位置から第１接触部４２よりも下方の位置まで延びている。第１のカード突起７１と第２のカード突起７２とは、壁上部６６の下端６９よりも上方の位置から、壁上部６６の下端６９よりも下方の位置まで延びている。図７に示すように、第１のカード突起７１と第２のカード突起７２とは、接極子１８の下端よりも下方の位置まで延びている。
【００５１】
図１２は、図３におけるXII−XII断面図である。図１２に示すように、第１のカード突起７１の少なくとも一部は、第１壁側部６７に対向して配置されている。第２のカード突起７２の少なくとも一部は、第２壁側部６８に対向して配置されている。第１のカード突起７１は、幅方向において、第１の壁突起６３の外側に配置されている。第２のカード突起７２は、幅方向において、第２の壁突起６４の外側に配置されている。
【００５２】
図１１に示すように、可動接触片１３から駆動部４に向かう方向から見て、第１のカード突起７１の少なくとも一部は、壁部６１と重なる。可動接触片１３から駆動部４に向かう方向から見て、第２のカード突起７２の少なくとも一部は、壁部６１と重なる。可動接触片１３から駆動部４に向かう方向から見て、第１のカード突起７１の少なくとも一部は、第１壁側部６７と重なる。可動接触片１３から駆動部４に向かう方向から見て、第２のカード突起７２の少なくとも一部は、第２壁側部６８と重なる。
【００５３】
次に、リレー１の動作について説明する。コイル２１に通電されておらず駆動部４が消磁状態では、接極子１８は、鉄心２３に吸引されていない。そのため、図７に示すように、可動接点１４は、可動接触片１３の弾性力によって、固定接点１２から離れている。
【００５４】
コイル２１に通電され駆動部４が励磁状態となると、接極子１８は、鉄心２３に吸引されることで、可動接触片１３の弾性力に抗して、ヨーク２４の上端を中心にオン方向（図７における反時計回り）に回転する。接極子１８がオン方向に回転すると、接極子１８の押圧部４９が、カード５の中央接触部４４を押圧する。すると、カード５がオン方向（図７における右方）に移動し、それにより、カード５の第１押圧部５３と第２押圧部５４とが、可動接点１４が固定接点１２に近づく方向に、可動接触片１３を押圧する。これにより、可動接点１４は、固定接点１２に押し付けられて接触する。
【００５５】
逆に、コイル２１への通電が停止されて駆動部４が消磁状態となると、接極子１８の第１部分２７は、可動接触片１３の弾性力によって、鉄心２３から離れるオフ方向（図７における時計回り）に回転する。接極子１８がオフ方向に回転すると、接極子１８の押圧部４９が、カード５の中央接触部４４から離れる方向に移動する。すると、カード５が可動接触片１３の弾性力によってオフ方向（図７における左方）に移動し、それにより、カード５の第１押圧部５３と第２押圧部５４とが、可動接点１４が固定接点１２から離れる方向に、移動する。これにより、可動接点１４は、固定接点１２から離れる。
【００５６】
以上説明した本実施形態に係るリレー１では、図１２に示すように、接極子１８とカード５との間に壁部６１が配置されている。それにより、リレー１の大型化を抑えながら、可動接触片１３と接極子１８との間の絶縁距離を拡張することができる。また、カード５には、カード本体４１から壁部６１側に突出する第１のカード突起７１と第２のカード突起７２とが設けられている。そのため、リレー１の大型化を抑えながら、可動接触片１３と接極子１８との間の絶縁距離をさらに拡張することができる。
【００５７】
第１のカード突起７１と第２のカード突起７２は、上下方向に延びている。第１のカード突起７１と第２のカード突起７２は、第１接触部４２よりも上方の位置から第１接触部４２よりも下方の位置まで延びている。第１のカード突起７１と第２のカード突起７２は、壁上部６６の下端６９よりも上方の位置から、壁上部６６の下端６９よりも下方の位置まで延びている。このように、第１のカード突起７１と第２のカード突起７２とが上下方向に大きく延びていることで、絶縁距離をさらに拡張することができる。
【００５８】
壁部６１には、壁本体６２からカード５側に突出する第１の壁突起６３と第２の壁突起６４とが設けられている。そのため、リレー１の大型化を抑えながら、可動接触片１３と接極子１８との間の絶縁距離をさらに拡張することができる。
【００５９】
第１の壁突起６３と第２の壁突起６４とは、上下方向に延びている。第１の壁突起６３と第２の壁突起６４とは、壁上部６６の下端６９よりも上方の位置から、壁上部６６の下端６９よりも下方の位置まで延びている。第１の壁突起６３と第２の壁突起６４とは、第１接触部４２よりも上方の位置から、第１接触部４２よりも下方の位置まで延びている。このように、第１の壁突起６３と第２の壁突起６４とが上下方向に大きく延びていることで、可動接触片１３と接極子１８との間の絶縁距離をさらに拡大することができる。
【００６０】
壁部６１は、上下方向に延びる第１壁側部６７と第２壁側部６８とを含む。従って、第１壁側部６７と第２壁側部６８とが上下方向に大きく延びていることで、可動接触片１３と接極子１８との間の絶縁距離を拡大することができる。
【００６１】
可動接触片１３から駆動部４に向かう方向から見て、第１のカード突起７１の少なくとも一部と第２のカード突起７２の少なくとも一部とは、壁部６１と重なっている。また、第１のカード突起７１の少なくとも一部は、第１壁側部６７に対向して配置される。第２のカード突起７２の少なくとも一部は、第２壁側部６８に対向して配置される。それにより、可動接触片１３と接極子１８との間の絶縁距離をさらに拡大することができる。
【００６２】
第１延在部４５と第２延在部４６とによって接極子１８が両側方から保持されている。そのため、接極子１８によってカード５の中央接触部４４を安定的に押圧することができる。また、中央接触部４４は、接極子１８に向かって凸に湾曲した形状を有している。それにより、接極子１８によってカード５の中央接触部４４をさらに安定的に押圧することができる。
【００６３】
接極子１８の第２部分２８の幅Ｗ２は、第１部分２７の幅Ｗ１よりも小さい。また、第２部分２８の幅Ｗ２は、第３部分２９の幅Ｗ３よりも小さい。そのため、可動接触片１３と接極子１８との間の絶縁距離をさらに拡大することができる。また、鉄心２３に対向する第１部分２７の幅Ｗ１を大きく維持できるので、接極子１８における磁気損失を抑えることができる。さらに、第１部分２７と第３部分２９とを接続する第２部分２８の幅Ｗ２を大きく確保できる。そのため、接極子１８の強度の低下を抑えることができる。
【００６４】
接極子１８において、第１凹部４７に第１延在部４５が配置され、第２凹部４８に第２延在部４６が配置される。そのため、第２部分２８の幅Ｗ２が大きくなることを抑えながら、第１延在部４５と第２延在部４６とを接極子１８の両側方に配置することができる。それにより、リレー１の大型化を抑えながら、可動接触片１３と接極子１８との間の絶縁距離を拡大することができる。
【００６５】
以上、本発明の一実施形態について説明したが、本発明は上記実施形態に限定されるものではなく、発明の要旨を逸脱しない範囲で種々の変更が可能である。
【００６６】
リレー１の接点構成は上記のものに限らず、変更されてもよい。上記の実施形態では、カード５と壁部６１との両方に突起が設けられている。しかし、カード５と壁部６１のうちカード５のみに突起が設けられてもよい。或いは、カード５と壁部６１とのうち壁部６１のみに突起が設けられてもよい。
【００６７】
固定接点部２の構成は変更されてもよい。例えば、固定端子１１の形状、或いは配置が変更されてもよい。可動接点部３の構成が変更されてもよい。例えば、可動接触片１３の形状、或いは配置が変更されてもよい。駆動部４の構成は変更されてもよい。例えば、コイル２１の形状、或いは配置が変更されてもよい。接極子１８、或いはヨーク２４の形状、或いは配置が変更されてもよい。
【００６８】
カード５の形状、或いは配置が変更されてもよい。第１のカード突起７１と第２のカード突起７２との形状、或いは配置が変更されてもよい。第１接触部４２の形状、或いは配置が変更されてもよい。第２接触部４３の形状、或いは配置が変更されてもよい。
【００６９】
ベース６の形状、或いは配置が変更されてもよい。例えば、コイル配置部３３、ヨーク支持部３４、接触片支持部３５、固定端子支持部３６の形状、或いは配置が変更されてもよい。
【００７０】
ケース７の形状、或いは配置が変更されてもよい。例えば、壁部６１の形状、或いは配置が変更されてもよい。第１の壁突起６３と第２の壁突起６４との形状、或いは配置が変更されてもよい。
【産業上の利用可能性】
【００７１】
本発明によれば、リレーの大型化を抑えながら、可動接触片と接極子との間の絶縁距離を拡張することができる。
【符号の説明】
【００７２】
４・・・駆動部、５・・・カード、６・・・ベース、１１・・・固定端子、１２・・・固定接点、１３・・・可動接触片、１４・・・可動接点、１８・・・接極子、２１・・・コイル、２３・・・鉄心、２７・・・第１部分、２８・・・第２部分、２９・・・第３部分、４１・・・カード本体、４２・・・第１接触部、４４・・・中央接触部、４５・・・第１延在部、４６・・・第２延在部、４７・・・第１凹部、４８・・・第２凹部、６２・・・壁本体、６１・・・壁部、６３・・・第１の壁突起、６６・・・壁上部、６７・・・第１壁側部、７１・・・第１のカード突起
【図１】
2019175602.tif 000003
【図２】
2019175602.tif 000004
【図３】
2019175602.tif 000005
【図４】
2019175602.tif 000006
【図５】
2019175602.tif 000007
【図６】
2019175602.tif 000008
【図７】
2019175602.tif 000009
【図８】
2019175602.tif 000010
【図９】
2019175602.tif 000011
【図１０】
2019175602.tif 000012
【図１１】
2019175602.tif 000013
【図１２】
2019175602.tif 000014